(57)【特許請求の範囲】
【請求項１】
有底円筒状の袋体の底面中央部及び側面下方を所望面積透水性を有する素材で、そして他の部分は非透水性の素材で形成し、袋体側面外周に環状補強帯を所望間隔で所望数縫着し、Ｕ字形に曲げた２本の吊り帯の中央部分を吊り下げ部とし両側部分をそれぞれ等間隔で環状補強帯と直交するようにし、吊り帯は環状補強帯と交叉する部分で環状補強帯と縫着するとともに、底面中央部の透水性素材部とその周囲の非透水性素材部の境界に底面補強帯を縫着し吊り帯の各先端をこの底面補強帯に縫着したことを特徴とする土嚢袋。
【請求項２】
袋体の上面を透水性素材又は非透水性素材で塞ぎ、中央部分には放射状に切れ目を形成して投入口とするとともに、投入口部分の内側には内容物飛散防止用の布の一辺を縫着した請求項１記載の土嚢袋。
【請求項３】
吊り下げ部の長さを、土嚢袋の直径の１．２倍〜３．０倍とした請求項１または請求項２記載の土嚢袋。
【請求項４】
請求項１記載の土嚢袋に用土を入れ土嚢を所定箇所に敷きつめつつ又は敷きつめた後に、各土嚢袋を吊り下げ部の任意箇所で切断し、この切断した吊り下げ部を隣接する土嚢袋の吊り帯部分に結んで土嚢を一体化するようにしたことを特徴とする土嚢設置方法。
【請求項５】
請求項４記載の方法により請求項１記載の土嚢袋を所望段数上下の土嚢が同軸上に位置するように積み、積んだ土嚢のうち任意箇所の土嚢袋について最上段の土嚢袋の上面開口部から最下段の土嚢袋の底面の透水性素材部を貫通するように支柱を打ち込んだことを特徴とする土嚢設置方法。
【請求項６】
請求項５記載の方法により土嚢を設置し、最外列の土嚢と間隔をあけて簡易壁を構築し、土嚢と簡易壁の間に裏込め土を投入するとともに、積み上げた土嚢の内側に所望高さになるまで用土を盛土するようにしたことを特徴とする盛土工法。
【発明の詳細な説明】
【０００１】
【発明の属する技術分野】
この発明は、盛土等に適用可能な大型の土嚢袋に関するものであり、全体として高い強度を持っているとともに、内部に投入する用土の状態を問わず使用することができるようにしたものである。なお、本出願で用土と称するものは、浚渫土砂，ヘドロ，建設残土など及びその用土を含むものである。さらに、この発明に係る土嚢袋を使用した土嚢の設置方法と盛土工法に関するものである。
【０００２】
【従来の技術】
従来から大型の袋状の土嚢袋もあるが、これらは土嚢としての用途よりは主として材料の運搬や飼料の運搬に使用されることを目的としている。
【０００３】
【発明が解決しようとする課題】
したがって、従来のものは強度や長期耐久性に問題がある。災害復旧の際等の応急用としては間に合っているが、永久構造物として用いるには問題があり、また使用勝手にも不都合がある。
【０００４】
すなわち、構造的には長期耐久性を目的としていないので、盛土等に使用するための土嚢袋として使用するにはその強度が十分ではない。また、高含水の用土などを用いる場合においては、透水性に関し袋の素材や構造について考慮されていないので袋内の水分が外に速やかに排出されず安定しない。
【０００５】
一方、従来の大型土嚢を高盛土に使用する場合には、設置した土嚢どうしの結合力がないため、転倒・崩壊する懸念があり、したがって土嚢を高く積みあげることが困難であるとともに、転倒や崩壊を防ぐためには土嚢を垂直に積まず、上下方向に互い違いになるように積む必要があり、結果として垂直の法面を形成するような積み方はできない。
【０００６】
【課題を解決するための手段】
すなわち、大型土嚢袋を盛土に適用するためには、袋全体として十分な強度を有するとともに、用土の水分が速やかに排出されるように袋の素材について配慮し、また設置後の転倒や崩壊を防ぐために隣接する土嚢どうしを簡単に結合することができるようにする必要がある。さらに、土嚢敷設時に隙間なく敷きつめられるようにするために、袋が中に入れた用土により膨らんだりせずに円筒形状を極力保つような構造にしておく必要がある。
【０００７】
また、土嚢を数段積みあげた場合にも安定しているようにするために、隣接する土嚢どうしを結合するだけではなく、積み上げた土嚢を上下に貫通させるＨ鋼などの支柱が容易に打ちこめるような構造にしておく必要がある。
【０００８】
そこで、この発明にかかる土嚢袋は前記課題を解決するために、有底円筒状の袋体の底面中央部及び側面下方を所望面積透水性を有する素材で、そして他の部分は非透水性の素材で形成し、袋体側面外周に環状補強帯を所望間隔で所望数縫着し、Ｕ字形に曲げた２本の吊り帯の中央部分を吊り下げ部とし両側部分をそれぞれ等間隔で環状補強帯と直交するようにし、吊り帯は環状補強帯と交叉する部分で環状補強帯と縫着するとともに、底面中央部の透水性素材部とその周囲の非透水性素材部の境界に底面補強帯を縫着し吊り帯の各先端をこの底面補強帯に縫着したものである。
【０００９】
あるいは、これに加え袋体の上面を透水性素材又は非透水性素材で塞ぎ、中央部分には放射状に切れ目を形成して投入口とするとともに、投入口部分の内側には内容物飛散防止用の布の一辺を縫着したり、吊り下げ部の長さを土嚢袋の直径の１．２倍〜３．０倍としたものである。
【００１０】
また、この発明にかかる土嚢設置方法は本発明の土嚢袋に用土を入れ土嚢を所定箇所に敷きつめつつ又は敷きつめた後に、各土嚢袋の吊り下げ部を任意箇所で切断し、この切断した吊り下げ部を隣接する土嚢袋の吊り帯部分に結んで土嚢を一体化するようにし、さらに前記の方法により土嚢袋を所望段数上下の土嚢が同軸上に位置するように積み、積んだ土嚢のうち任意箇所の土嚢袋について最上段の土嚢袋の上面開口部から最下段の土嚢袋の底面の透水性素材部を貫通するように支柱を打ち込んだものである。
【００１１】
一方、この発明にかかる盛土工法は前記の方法により土嚢を設置し、最外列の土嚢と間隔をあけて簡易壁を構築し、土嚢と簡易壁の間に裏込め土を投入するとともに、積み上げた土嚢の内側に所望高さになるまで用土を盛土するようにしたものである。
【００１２】
【作用】
土嚢袋の底面の中央部と側面下方を非透水性素材にしておくことにより土嚢内に高含水の用土などを投入して用土とした場合でも、水分は用土の自重によりこの透水性素材で形成した部分から容易に外に排出される。
【００１３】
また、袋の円筒部には環状補強帯を縫着し底部には底面補強帯を縫着したので、袋全体として極めて大きな強度を有し、さらに吊り帯はこれら環状補強帯と底面補強帯を接続したので土嚢吊り上げ時に袋が内部の用土の重みに負けて破損するようなことを防止できる。
【００１４】
さらに、設置後は吊り下げ部を途中で切断することにより、この切断した吊り下げ部を利用して隣接する土嚢の吊り帯に結合することができ、土嚢設置後の転倒や崩壊を防止できる。また、投入口と透水性素材で形成した底面中央部をを利用して垂直にＨ鋼等の支柱を容易に打ち込むことができ、盛土時の土嚢の安定性をさらに高めることができる。一方、盛土の土圧自体は土嚢で殆どを受け止め止めることが可能となり、土嚢の外側には化粧用の簡易壁を建築用コンクリート積ブロックや矢板等により施工することが可能となる。
【００１５】
【発明の実施の態様】
次に、この発明にかかる土嚢袋の一実施例を図１〜図３に基づいて述べる。
１は有底円筒状の袋体であり、底面中央部２及び側面下方部３は所望面積透水性を有する素材で形成してある。そして袋体１の他の部分４は非透水性の素材で形成してある。非透水性の素材としては例えば網地の材料などが使用できるが、その他袋体１全体をポリプロピレン製として底面中央部２と側面下方部３には防水処理をせず、他の部分４には防水処理をして非透水性となるようにしておいてもよい。また、非透水性素材で形成する箇所は図示した面積や箇所に限定されるものではなく、袋体１の下側から水分が外に速やかに排出できればよい。
【００１６】
袋体側面外周には環状補強帯５が所望間隔で所望数縫着してある。図示した例では、側面底部と上端を少し空けて等間隔で三本縫着した例を示したが、これらは袋の大きさ等により適宜選択すればよい。また、縫着する代わりに接着剤により接着したりあるいは環状補強帯５と袋体１の素材によっては熱溶着等の方法によって固着させてもよい。なお、環状補強帯５の素材としてはある程度以上の引張強度を有していれば合成繊維製でも天然繊維製でも何でよい。また、幅も適当でよいが、例えば図示した例（袋体１はポリプロピレン製であり直径と高さは共に１１０ｃｍ）の場合は、環状補強帯５の幅は１０ｃｍとして袋体１の側面底部と上端をそれぞれ１０ｃｍ空けて等間隔で三本としている。
【００１７】
６はＵ字形に曲げた２本の吊り帯であり、その中央部分は吊り下げ部７となる。そして両側部分はそれぞれ等間隔（図３の底面図で円周の１／４周間隔で）で環状補強帯５と直交するようにし、吊り帯６は環状補強帯５と直交する交叉部８で環状補強帯５と縫着してある。すなわち、吊り帯６は環状補強帯５と交叉する交叉部８以外は袋体１とは分離しており、後述するようにこの分離部９を利用して隣接する土嚢と結合することができる。
【００１８】
また、底面中央部２の透水性素材部とその周囲の非透水性素材部１０の境界には底面補強帯１１が縫着してある。そして吊り帯６の各先端１２はこの底面補強帯１１に縫着してある。なお、吊り帯６の吊り下げ部７の長さをは袋体１の直径の１．２倍〜３．０倍とする。吊り下げ部７は後述するようにこの部分を設置後に切断して結合ロープとして使用するので長いほど便利であるが、しかし長すぎると土嚢設置作業時に不必要に土嚢を高く吊り上げなければならず、作業効率が悪くなるので、妥協点として上記位の長さにしておくことが適当である。
【００１９】
袋体１の上面１３は必要に応じて透水性素材又は非透水性素材で塞いであり、中央部分には放射状に切れ目１４を形成して投入口１５としてある。投入口１５部分の内側には内容物飛散防止用に投入口１５を挟むように対向して投入口１５を塞ぐ大きさの二枚の布１６がそれぞれ一辺を上面１３の投入口１５の端部に縫着してある。そして、上面１３の放射状の切れ目１４の先端には絞り紐１７が通してあり巾着状に投入口１５となっている開口部を狭めることができる。すなわち、投入口１５は内容物飛散防止用の二枚の布１６と巾着状に狭めることができる袋体１上面１３の三枚の材料により閉鎖されることになる。
【００２０】
次に、本発明の土嚢袋を利用した土嚢設置方法を図４及び図５に基づいて述べる。
上記した土嚢袋の投入口１５を開いて中に適当な用土を入れる。土嚢袋内の排水についても考慮してあるので、含水率が高い場合も利用することができる。そして、土嚢袋内に土砂を入れ終ったら、絞り紐１７を絞って投入口１５を狭める。ここまでの作業は土嚢設置箇所において行ってもよいし、あるいはその他の場所で行ってもよい。
【００２１】
なお、土嚢袋に入れる用土としては先に述べたような各種土砂等のほか、降雨や日照等の天候あるいはその他の外的要因により土嚢袋に破損が生じる場合や永久構造物の構築という点を考慮すると、安定処理土を用いることが望ましい。但し、安定処理土でもセメント安定処理のように、土嚢を設置する前に固まってしまうような速硬性のものは安定性の面から不適当であり、ある程度練りだめができ、且つ材令の進行ならびに加圧に応じて強度が増加する処理土が望ましい。例えば、いわゆるFe石灰系処理土として知られるものが適している。これは自然土や自然土と砕石に土質安定剤として、酸化鉄と石灰や、酸化アルミニウム，酸化鉄及び酸化チタンを主成分としたAl-Fe-Ti系酸化組成物又は酸化アルミニウム，酸化鉄及び酸化チタンの混合物と石灰や、酸化鉄を主成分とするFe系酸化混合物とCaO, SiO2, Al2O3を主成分として含む下水汚泥焼却灰と石灰を混合したものである。
【００２２】
そして、土嚢を所定箇所に平らに敷きつめた後に、各土嚢袋の吊り下げ部７を任意箇所で切断して結合ロープ１８とする。ついでこの切断した吊り下げ部７、すなわち結合ロープ１８を隣接する土嚢袋の吊り帯６の分離部９に結ぶ。吊り下げ部７を切断する箇所は吊り下げ部７の長さにより適当な箇所を選択すればよいが、切断した部分の両側（合計四本の結合ロープができることになる。）とも結合ロープ１８として使用したい場合には中央で切断し、片側（合計二本の結合ロープができることになる。）だけでよい場合はどちらかの袋体１の上面１３近傍で切断すればよい。なお、この隣接する土嚢の結合作業は、土嚢を全部敷設後に行ってもよいが、場合によっては敷設作業を行いながら順次並行して行ってもよい。これはそのときの作業環境や条件により任意に選択すればよい。
【００２３】
そして、このようにして図６に示すように土嚢袋を所望段数上下の土嚢が同軸上に位置するように積む。従来のように階段状に積み上げることも勿論可能であるが、土嚢の敷設面積と必要数を減らすために同軸上で垂直に積めることが本発明の土嚢袋の特徴である。ついで図７に示すように積んだ土嚢のうち任意箇所の土嚢袋について最上段の土嚢袋の上面開口部から最下段の土嚢袋の底面の透水性素材部を貫通するように支柱１９を打ち込む。支柱としては例えばＨ鋼を使用する。支柱１９は土嚢の積み上げ段数と土嚢敷設箇所の諸条件等により適当な本数と箇所を選択すればよい。
【００２４】
次に、本発明の土嚢袋を利用した盛土工法を図６及び図７に基づいて述べる。上記した方法により土嚢を図６に示すように必要段数積み上げる。そして図７に示すように、最外列の土嚢２０と間隔をあけて簡易壁として矢板２１を打ち込み、土嚢２０と矢板２１の間に裏込め土２２を投入する。また、積み上げた土嚢の内側に所望高さになるまで用土２３を盛土する。用土２３の土圧は土嚢により受け止めることが可能であり、その外側に施工する矢板２１は裏込め土２２の土圧だけを受け止めることができればよいので、矢板２１はそれほど本格的なものでなくてもよい。
【００２５】
なお、図示した例では簡易壁として矢板２１を打ち込む例を示したが、簡易壁は積んだ土嚢の外側の化粧的な意味もあり、上記したように土圧としては裏込め土２２の土圧だけを受け止めることができればよいので、矢板のように地盤に打ち込んで構築するもののほか、例えば建築用コンクリート積ブロック等のようなものを積み上げて構築してもよい。なお、図６に示すように支柱１９は使用しないで盛土することも可能である。
【００２６】
【発明の効果】
以上述べたように、この発明にかかる土嚢袋によれば、有底円筒状の袋体の底面中央部及び側面下方を所望面積透水性を有する素材で、そして他の部分は非透水性の素材で形成し、袋体側面外周に環状補強帯を所望間隔で所望数縫着し、Ｕ字形に曲げた２本の吊り帯の中央部分を吊り下げ部とし両側部分をそれぞれ等間隔で環状補強帯と直交するようにし、吊り帯は環状補強帯と交叉する部分で環状補強帯と縫着するとともに、底面中央部の透水性素材部とその周囲の非透水性素材部の境界に底面補強帯を縫着し吊り帯の各先端をこの底面補強帯に縫着したので、環状補強帯により高含水で重量が大きい内容物に対して側面の膨れを抑制でき土嚢を隙間なく敷きつめる作業を簡単に行えるとともに、底面補強帯とともに吊り上げ時や積み重ね時の袋の破断を防止でき、さらに底面部及び側面下部に透水性素材を使用することにより水分を多く含む土も積極的に利用することができる。また、吊り帯は土嚢設置後には隣接する土嚢との結束用材料として利用することができる。
【００２７】
さらに、上記に加え袋体の上面を透水性素材又は非透水性素材で塞ぎ、中央部分には放射状に切れ目を形成して投入口とするとともに、投入口部分の内側には内容物飛散防止用の布の一辺を縫着したので、投入口からの切れ目部分がホッパーの役割をして用土の投入が簡単に行える一方、投入口の内部に内容物飛散防止用の布を縫着しておくことにより、いったん中に入った用土が外に飛び出すのを防止できる。あるいは吊り下げ部の長さを、土嚢袋の直径の１．２倍〜３．０倍としたので、吊り下げ部は土嚢吊り上げ時にはその長さが不必要に長過ぎず、設置後に結合用の紐として利用するには隣接する土嚢に結ぶのに程よい長さを確保することができる。
【００２８】
また、この発明に係る土嚢袋設置方法によれば本発明の土嚢袋に用土を入れ土嚢を所定箇所に敷きつめた後に、各土嚢袋を吊り下げ部の任意箇所で切断し、この切断した吊り下げ部を隣接する土嚢袋の吊り帯部分に結んで土嚢を一体化するようにしたので、隣合う土嚢を確実に連結することができ、土嚢の転倒を防止でき構造的に安定性を確保でき、したがって土嚢を階段状にずらさず垂直に積み上げることが可能となる。
【００２９】
さらに、前記の方法により本発明の土嚢袋を所望段数上下の土嚢が同軸上に位置するように積み、積んだ土嚢のうち任意箇所の土嚢袋について最上段の土嚢袋の上面開口部から最下段の土嚢袋の底面の透水性素材部を貫通するように支柱を打ち込んだので、土嚢を階段状にずらさないで垂直に積んだ結果支柱を土嚢中央を串刺しするように貫通させることができ、土嚢の垂直方向の安定性をさらに高めることができる。
【００３０】
一方、この発明に係るも盛土工法によれば、前記の方法により土嚢を設置し、最外列の土嚢と間隔をあけて簡易壁を構築し、土嚢と簡易壁の間に裏込め土を投入するとともに、積み上げた土嚢の内側に所望高さになるまで用土を盛土するようにしたので、従来の土嚢を階段状に積み上げた方法に比べ、同じ高さ土嚢を積み上げるのに土嚢の設置面積及び必要土嚢数を減らすことができるとともに、簡易壁は盛土の土圧を殆ど受けないので土嚢の外側は簡易な方法で構築することが可能となる。
【図面の簡単な説明】
【図１】本発明の土嚢袋の正面図である。
【図２】本発明の土嚢袋の底面図である。
【図３】本発明の土嚢袋の平面図である。
【図４】本発明の土嚢設置工法を示す正面説明図である。
【図５】本発明の土嚢設置工法を示す平面説明図である。
【図６】本発明の盛土工法の実施例を示す説明図である。
【図７】本発明の盛土工法の他の実施例を示す説明図である。
【符号の説明】
１  袋体
２  底面中央部
３  側面下方部
４  他の部分
５  環状補強帯
６  吊り帯
７  吊り下げ部
８  交叉部
９  分離部
１０  非透水性素材部
１１  底面補強帯
１２  先端
１３  上面
１４  切れ目
１５  投入口
１６  布
１７  絞り紐
１８  結合ロープ
１９  支柱
２０  土嚢
２１  矢板
２２  裏込め土
２３  用土
【図１】
0003702871.tif 000002
【図２】
0003702871.tif 000003
【図３】
0003702871.tif 000004
【図４】
0003702871.tif 000005
【図５】
0003702871.tif 000006
【図６】
0003702871.tif 000007
【図７】
0003702871.tif 000008